(57)【要約】【課題】  照明器具とスプリンクラーヘッドとを近接して配置することが可能であり、ライトの熱によるスプリンクラーヘッドの不時放水を招かない照明器具およびスプリンクラーヘッドを提供する。【解決手段】  天井や壁面に設置される照明器具およびスプリンクラーヘッドにおいて、高輝度発光ダイオード３を集合させて構成した照明器具１とスプリンクラーヘッド２を近接して配置した。また、作動時のスプリンクラーヘッド２の散水部が、高輝度発光ダイオード３の設置位置よりも下方に位置するように配置した。【選択図】    図１
2005108740.tif 000002
【特許請求の範囲】
【請求項１】
天井や壁面に設置される照明器具およびスプリンクラーヘッドにおいて、高輝度発光ダイオードを集合させて構成した照明器具とスプリンクラーヘッドが近接して配置されていることを特徴とする照明器具およびスプリンクラーヘッド。
【請求項２】
天井や壁面に設置される照明器具およびスプリンクラーヘッドにおいて、高輝度発光ダイオードを集合させて構成した照明器具の内部にスプリンクラーヘッドが配置されていることを特徴とする照明器具およびスプリンクラーヘッド。
【請求項３】
天井や壁面に設置される照明器具およびスプリンクラーヘッドにおいて、高輝度発光ダイオードを集合させて構成した複数の照明器具の間にスプリンクラーヘッドが配置されていることを特徴とする照明器具およびスプリンクラーヘッド。
【請求項４】
前記の照明器具およびスプリンクラーヘッドにおいて、作動時のスプリンクラーヘッドの散水部が、高輝度発光ダイオードの設置位置よりも下方に位置するように配置されていることを特徴とする請求項１から３記載のいずれかの照明器具およびスプリンクラーヘッド。
【発明の詳細な説明】
【技術分野】
【０００１】
本発明は、天井面や壁面に設置される照明器具と消火装置であるスプリンクラーヘッドに関するものである。
【背景技術】
【０００２】
従来において照明器具と消火装置であるスプリンクラーヘッドとの設置に関して、照明器具の筐体にスプリンクラーヘッドの設置部を設け、照明器具とスプリンクラーヘッドとを同一の筐体に設けたものがある（例えば、特許文献１および２参照。）。
【０００３】
特許文献１に記載された発明は、天井面に設置される照明器具と、スピーカーや火災感知器、スプリンクラーヘッド等の配置について改善したもので、照明器具本体の隅部にスピーカーや、火災感知器等を配置し、隅部以外のスペースに照明ランプを設置したものである。
【０００４】
特許文献２に記載された発明は、天井に配置される照明器具とスプリンクラーヘッドとを一体構造として、配列上の互いの干渉を無くすことで、配列上の干渉から生じるスプリンクラーヘッドの設置増加を抑える効果がある。
【０００５】
【特許文献１】実開平５−９０７１７号公報
【特許文献２】実開平６−６２４２１号公報
【発明の開示】
【発明が解決しようとする課題】
【０００６】
上記の特許文献１および２に記載されている照明器具は、証明器具とスプリンクラーヘッドを同一筐体に設置したものである。しかし照明器具は発熱量が大きく、照明器具の熱によってスプリンクラーヘッドが暖められ、火災時以外にスプリンクラーヘッドが作動して不時放水を招くおそれがある。
【０００７】
そこで本発明では、上記問題に鑑み、照明器具とスプリンクラーヘッドとを近接して配置することが可能で、ライトの熱によるスプリンクラーヘッドの不時放水を招かない照明器具およびスプリンクラーヘッドを提供することを目的としている。
【課題を解決するための手段】
【０００８】
上記の目的を達成するために、請求項１記載の発明は、天井や壁面に設置される照明器具およびスプリンクラーヘッドにおいて、高輝度発光ダイオードを集合させて構成した照明器具とスプリンクラーヘッドが近接して配置されている照明器具およびスプリンクラーヘッドである。
【０００９】
請求項２記載の発明は、天井や壁面に設置される照明器具およびスプリンクラーヘッドにおいて、高輝度発光ダイオードを集合させて構成した照明器具の内部にスプリンクラーヘッドが配置されている照明器具およびスプリンクラーヘッドである。
【００１０】
請求項３記載の発明は、天井や壁面に設置される照明器具およびスプリンクラーヘッドにおいて、高輝度発光ダイオードを集合させて構成した複数の照明器具の間にスプリンクラーヘッドが配置されている照明器具およびスプリンクラーヘッドである。
【００１１】
請求項４記載の発明は、前記の照明器具およびスプリンクラーヘッドにおいて、作動時のスプリンクラーヘッドの散水部が、高輝度発光ダイオードの設置位置よりも下方に位置するように配置されている請求項１から３記載のいずれかの照明器具およびスプリンクラーヘッドである。
【発明の効果】
【００１２】
高輝度発光ダイオードはそれ自体が小さく天井からの突出量が少ないものであり、照明機器がスプリンクラーヘッドから散布される水を阻んで散水の障害となることがない。また、スプリンクラーヘッドの作動時におけるスプリンクラーヘッドの散水部を、天井に設置された高輝度発光ダイオードよりも下の位置となるように照明器具およびスプリンクラーヘッドを設置すると、スプリンクラーヘッドから散布される水が照明器具によって阻まれることがなく、さらに照明器具も水に濡れることがない。
【００１３】
高輝度発光ダイオードは、従来の照明器具より発熱量が少ないものである。これらの高輝度発光ダイオードを集合させて照明器具として用いることで、該照明器具の付近にスプリンクラーヘッドを設置しても、照明器具の熱によってスプリンクラーヘッドが作動に至ることはない。
【実施例】
【００１４】
以下、この発明の実施例を図１から図３を参照して説明する。図１は高輝度発光ダイオードを集合させて設けられた照明器具と、その内部に設けられたスプリンクラーヘッドである。図２は図１を側面からみた断面図である。図３は図２においてスプリンクラーヘッドが作動した状態を表す。
【００１５】
図１および図２に示すように、照明器具１の中央にスプリンクラーヘッド２が設置されており、照明器具１を構成する複数の高輝度発光ダイオード３とスプリンクラーヘッド２が近接した位置に設置されている。また、上記照明器具１の表面に透明なカバーＣを設けて高輝度発光ダイオード３をスプリンクラーヘッドから放出される水から保護してもよい。
【００１６】
照明器具１は前述の通り、高輝度発光ダイオード３を集合させて照明として用いるものであり、高輝度発光ダイオード３の組み合わせによって照明の色や形状が自由に設定でき、さらに従来の照明装置よりも発熱量が少なく長寿命である。発熱量が少なくなったことで熱に反応して作動するスプリンクラーヘッドが近傍に設置されていても、照明の熱によってスプリンクラーヘッドを作動させることがなく、また形の自由度が大きいので、照明器具内部の任意の位置にスプリンクラーヘッド２を設置することが可能である。
【００１７】
スプリンクラーヘッド２は、図示しない給水装置と配管４によって接続されており、火災の熱に反応して分解・作動することで水を散布し消火を行うものである。スプリンクラーヘッド２は、作動時に散水部５が飛び出してくる「フラッシュタイプ」のスプリンクラーヘッドを用いるのが好ましい。該スプリンクラーヘッドの構造については公知であり、本発明の主旨ではないので説明は省略する。
【００１８】
次に火災時の作用について説明する。図３に示すように火災によってスプリンクラーヘッド２が作動すると、スプリンクラーヘッド２の散水部５が下方へ突出して配管４より送られてきた水が散水部５に衝突して室内に水が散布され、火災を消し止めるものである。散水部５は高輝度発光ダイオード３よりも下方に位置しているので、高輝度発光ダイオード３が水で濡れることはない。
【００１９】
上記照明器具１は立体的に構成されることも考えられる。その際、スプリンクラーヘッド２の作動時における散水部５の位置が高輝度発光ダイオード３の最下端よりも下に位置していれば、スプリンクラーヘッド２が作動したときに高輝度発光ダイオード３が水で濡れることはない。
【００２０】
その他の実施例として、高輝度発光ダイオードによる照明機器が複数組み合わされて設置されている場合においても、個々の照明機器の間にスプリンクラーヘッドを設置することが可能である。
【図面の簡単な説明】
【００２１】
【図１】高輝度発光ダイオードを集合させて設けられた照明器具と、その近傍に設けられたスプリンクラーヘッド
【図２】図１を側面からみた断面図
【図３】図２においてスプリンクラーヘッドが作動した状態
【符号の説明】
【００２２】
１  照明器具
２  スプリンクラーヘッド
３  高輝度発光ダイオード
４  配管
Ｃ  カバー
【図１】
2005108740.tif 000003
【図２】
2005108740.tif 000004
【図３】
2005108740.tif 000005